【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
各セルに配置された制御局装置が、複数のＯＦＤＭシンボルを含むフレームを用いて端末装置へ無線送信を行なうセルラシステムであって、
前記制御局装置は、信号を前記ＯＦＤＭシンボルに割り当てるに際し、前記ＯＦＤＭシンボルを構成し信号を割り当て得るサブキャリアと呼ばれるリソース単位のうち、一つ以上の前記リソース単位であってセル毎に決められた前記リソース単位を信号の割り当てを行なわないリソース単位として設定し、前記信号の割り当てを行なわないリソース単位を含む送信信号を無線送信し、
前記端末装置は、前記制御局装置から無線送信された前記送信信号を受信することを特徴とするセルラシステム。
【請求項２】
前記信号の割り当てを行なわないリソース単位は、前記制御局装置に割り振られた番号に基づいて設定されることを特徴とする請求項１記載のセルラシステム。
【請求項３】
前記信号の割り当てを行なわないリソース単位は、前記フレームに割り振られた番号に基づいて設定されることを特徴とする請求項１または請求項２記載のセルラシステム。
【請求項４】
前記端末装置は、前記信号の割り当てを行なわないリソース単位における受信品質を測定し、前記測定結果に基づいて前記制御局装置へ通知する情報を生成することを特徴とする請求項１から請求項３のいずれかに記載のセルラシステム。
【請求項５】
前記端末装置が、前記信号の割り当てを行なわないリソース単位において測定する受信品質は干渉電力であることを特徴とする請求項４記載のセルラシステム。
【請求項６】
前記端末装置は、前記信号の割り当てを行なわないリソース単位とは異なるリソース単位における受信電力を測定し、前記受信電力の測定結果と、前記干渉電力の測定結果に基づいて前記制御局装置へ通知する情報を生成することを特徴とする請求項５記載のセルラシステム。
【請求項７】
各セルに配置された制御局装置が複数のＯＦＤＭシンボルを含むフレームを用いて端末装置へ無線送信を行なうセルラシステムにおける制御局装置であって、
信号を前記ＯＦＤＭシンボルに割り当てるに際し、前記ＯＦＤＭシンボルを構成し信号を割り当て得るサブキャリアと呼ばれるリソース単位のうち、一つ以上の前記リソース単位であってセル毎に決められた前記リソース単位を信号の割り当てを行なわないリソース単位として設定することを特徴とする制御局装置。
【請求項８】
前記制御局装置に割り振られた番号に基づいて前記信号の割り当てを行なわないリソース単位を設定することを特徴とする請求項７記載の制御局装置。
【請求項９】
前記フレームに割り振られた番号に基づいて前記信号の割り当てを行なわないリソース単位を設定することを特徴とする請求項７または請求項８記載の制御局装置。
【請求項１０】
各セルに配置された制御局装置が複数のＯＦＤＭシンボルを含むフレームを用いて端末装置へ無線送信を行なうセルラシステムにおける端末装置であって、
前記ＯＦＤＭシンボルを構成し信号を割り当て得るサブキャリアと呼ばれるリソース単位のうち、通信相手となる制御局装置において信号が割り当てられなかったリソース単位における受信品質を測定し、前記測定結果に基づいて前記制御局装置へ通知する情報を生成することを特徴とする端末装置。
【請求項１１】
前記信号が割り当てられなかったリソース単位とは異なるリソース単位における受信品質を測定し、前記測定結果と、前記信号が割り当てられなかったリソース単位における受信品質の測定結果とに基づいて前記制御局装置へ通知する情報を生成することを特徴とする請求項１０記載の端末装置。
【請求項１２】
各セルに配置された制御局装置が、複数のＯＦＤＭシンボルを含むフレームを用いて端末装置へ無線送信を行なうセルラシステムであって、
前記制御局装置は、前記ＯＦＤＭシンボルを構成し信号を割り当て得るサブキャリアのうち一つ以上のサブキャリアであってセル毎に決められたサブキャリアを、信号の割り当てを行なわないサブキャリアとして設定することを特徴とするセルラシステム。
【請求項１３】
制御対象となる端末装置へマルチキャリア伝送方式で無線送信を行なう制御局装置の送信制御方法であって、
周辺セルでキャリアホールに設定されたサブキャリアとは異なる周波数のサブキャリアをキャリアホールに設定し、無線送信することを特徴とする送信制御方法。
【請求項１４】
マルチキャリア伝送方式により制御対象となる端末装置へ無線送信を行なう制御局装置の送信制御方法であって、
一定の時間長で定められるひとつ以上の時間チャネルと、一定の周波数帯域で定められるひとつ以上の周波数チャネルとによって特定される複数の通信スロットで構成される通信フレームを用い、通信スロット毎にキャリアホールを設定し、無線送信することを特徴とする送信制御方法。
【請求項１５】
前記通信スロット毎に、周辺セルでキャリアホールに設定されたサブキャリアとは異なる周波数のサブキャリアをキャリアホールに設定し、無線送信することを特徴とする請求項１４記載の送信制御方法。
【請求項１６】
前記キャリアホールは、制御局装置から送信された信号を端末装置において受信した際に、受信状況が悪いと判断されたサブキャリアに設定することを特徴とする請求項１４記載の送信制御方法。
【請求項１７】
前記キャリアホールの位置を示す情報を前記端末装置へ送信することを特徴とする請求項１３から請求項１６のいずれかに記載の送信制御方法。
【請求項１８】
前記通信スロット毎に、複数の端末装置から干渉電力情報を受信し、
前記通信スロット毎に、複数の干渉電力情報を平均して平均干渉電力値を算出することを特徴とする請求項１４から請求項１７のいずれかに記載の送信制御方法。
【請求項１９】
前記複数の端末装置それぞれの距離情報に基づいて、前記複数の干渉電力情報へ重み付けし、
前記重み付けされた複数の干渉電力情報を平均することを特徴とする請求項１８記載の送信制御方法。
【請求項２０】
前記距離情報は、前記複数の端末装置それぞれへの送信電力制御後の送信電力の大きさであることを特徴とする請求項１９記載の送信制御方法。
【請求項２１】
前記複数の干渉電力情報のうち、前記通信スロット毎に所定の数の干渉電力情報を選択して平均することを特徴とする請求項１８から請求項２０のいずれかに記載の送信制御方法。
【請求項２２】
前記複数の端末装置それぞれから位置情報を受信し、
前記複数の干渉電力情報を前記位置情報に対応づけて分類し、分類した干渉電力情報を平均して干渉電力値を算出することを特徴とする請求項１８から請求項２１のいずれかに記載の送信制御方法。
【請求項２３】
前記位置情報は、前記複数の端末装置それぞれがセルサーチの際に受信した制御局装置の識別子であり、
複数の端末装置のうち、識別子が一致する端末装置によって測定された干渉電力情報を平均することを特徴とする請求項２２記載の送信制御方法。
【請求項２４】
前記制御局装置が指向性アンテナを用い、前記セル内を複数のセクタに分割して無線通信を行ない、同じセクタに収容される端末装置から受信した干渉電力情報を前記通信スロット毎に平均することを特徴とする請求項１８から請求項２３のいずれかに記載の送信制御方法。
【請求項２５】
マルチキャリア伝送方式により制御局装置から送信された信号を受信する端末装置の端末側送信方法であって、
前記制御局装置からキャリアホールを特定する情報を受信し、
前記キャリアホールにおける受信電力を測定し、測定した受信電力の平均値を算出し、
前記受信電力の平均値を干渉電力情報として前記制御局装置へ送信することを特徴とする端末側送信方法。
【請求項２６】
前記制御局装置が複数の端末装置それぞれへ通信スロットを割り当てたスロット割り当て情報を受信し、
前記スロット割り当て情報に基づいて、どの端末装置に対しても割り当てられてない通信スロットにおいて、複数のサブキャリアそれぞれの受信電力を測定し、またはいずれかの端末装置に対して割り当てられている通信スロットにおいて、キャリアホールに設定されたサブキャリアの受信電力を測定し、通信スロット毎に測定した受信電力の平均値を算出し、
前記受信電力の平均値を干渉電力情報として前記制御局装置へ送信することを特徴とする請求項２５記載の端末側送信方法。
【請求項２７】
前記制御局装置へ、端末の位置を示す位置情報を送信することを特徴とする請求項１３または請求項２６記載の端末側送信方法。
【請求項２８】
前記位置情報は、セルサーチの際に受信した少なくとも一つの制御局装置の識別子であることを特徴とする請求項２７記載の端末側送信方法。
【請求項２９】
マルチキャリア伝送方式で、制御局装置からその制御対象となる端末装置への無線送信を行なう場合の干渉電力測定方法であって、
前記制御局装置において、データを割り当て得る少なくとも一つのサブキャリアをキャリアホールへ設定し、
設定されたキャリアホールを特定する情報を前記端末装置へ送信することを特徴とする干渉電力測定方法。
【請求項３０】
マルチキャリア伝送方式で、制御局装置からその制御対象となる端末装置への無線送信を行なう場合の干渉電力測定方法であって、
前記端末装置において、前記制御局装置から、データを割り当て得る少なくとも一つのサブキャリアに設定されたキャリアホールを特定する情報を受信し、
前記キャリアホールにおける受信電力を測定し、測定した受信電力の平均値を算出し、
前記受信電力の平均値を干渉電力情報として前記制御局装置へ送信することを特徴とする干渉電力測定方法。
【請求項３１】
一定の時間長で定められるひとつ以上の時間チャネルと、一定の周波数帯域で定められるひとつ以上の周波数チャネルとによって特定される複数の通信スロットで構成される通信フレームをマルチキャリア伝送方式により制御対象となる端末装置へ無線送信を行なう制御局装置であって、
前記通信スロット毎にキャリアホールを設定するキャリアパターン設定部を備えることを特徴とする制御局装置。
【請求項３２】
マルチキャリア伝送方式により制御局装置から送信された信号を受信する端末装置であって、
前記制御局装置からキャリアホールを特定する情報を受信する端末側受信部と、
前記キャリアホールにおける受信電力を測定し、測定した受信電力の平均値を干渉電力情報として算出する受信電力測定部と、
前記干渉電力情報を前記制御局装置へ送信する送信部と、を備えることを特徴とする端末装置。